(57)【要約】【課題】ボトルの胴部にラベルを強固に固定することが可能なラベル付ボトル及びラベル固定方法の提供。【解決手段】円筒状をなす胴部中央に縮径部が設けられ、該縮径部と底部との間に他の胴部よりも外径の大きい段差が設けられ、前記縮径部に合成樹脂製フィルムからなる筒状ラベルが固定されたラベル付ボトルにおいて、前記ラベルが、前記縮径部下端から前記段差を覆う位置まで延長された熱収縮性ラベルからなることを特徴とするラベル付ボトル。【選択図】図１
2008174263.tif 000002
【特許請求の範囲】
【請求項１】
円筒状をなす胴部中央に縮径部が設けられ、該縮径部と底部との間に他の胴部よりも外径の大きい段差が設けられ、前記縮径部に合成樹脂製フィルムからなる筒状ラベルが固定されたラベル付ボトルにおいて、
前記ラベルが、前記縮径部下端から前記段差を覆う位置まで延長された熱収縮性ラベルからなることを特徴とするラベル付ボトル。
【請求項２】
前記ボトルが複数の脚部を有し、前記熱収縮性ラベルの下端が前記段差より下方で前記脚部よりも上方の位置にあることを特徴とする請求項１に記載のラベル付ボトル。
【請求項３】
前記ボトルがポリエチレンテレフタレート製ボトルであり、前記ラベルがポリオレフィン系樹脂熱収縮性フィルムであることを特徴とする請求項１又は２に記載のラベル付ボトル。
【請求項４】
円筒状をなす胴部中央に縮径部が設けられ、該縮径部と底部との間に他の胴部よりも外径の大きい段差が設けられ、且つ複数の脚部が設けられたボトルの前記縮径部に、合成樹脂製フィルムからなる筒状ラベルを固定するラベル固定方法において、
熱収縮時に前記縮径部下端から前記段差を覆う位置まで達する熱収縮性ラベルを用い、該熱収縮性ラベルをその下端が前記段差より下方で前記脚部よりも上方の位置に配置し、次いで該熱収縮性ラベルを下方部分から収縮させることを特徴とするラベル固定方法。
【発明の詳細な説明】
【技術分野】
【０００１】
本発明は、飲料等をポリエチレンテレフタレート製ボトル（以下、ペットボトルと記す。）などの、円筒状をなす胴部中央に縮径部が設けられ、該縮径部と底部との間に該縮径部よりも外径の大きい段差が設けられ、前記縮径部に合成樹脂製フィルムからなる筒状ラベルが固定されたラベル付ボトル、及び該ボトルにラベルを固定する方法に関する。
【背景技術】
【０００２】
従来より、ペットボトルに清涼飲料水や果汁飲料などを充填し、口部にキャップを装着して密封し、且つ胴部に合成樹脂製フィルムからなる筒状ラベルを固定して製品としたラベル付ボトルが汎用されている。
【０００３】
現在、ペットボトルにおいては、リサイクルのために廃棄時にラベルを剥がす必要があり、ラベルには高い剥離性が求められている。そのため糊付けを必要とせずに固定でき、ミシン目等により容易に破断させて剥離させることができる熱収縮性ラベル（シュリンクラベルとも称される。）が多用されている。
【０００４】
しかしながら、熱収縮性ラベルは伸縮性に乏しく、糊付けもされていないため、容器との間でズレが生じ、ラベルが動いて持ちにくいという問題がある。特に、容量１．５Ｌや２Ｌの大容量の円筒形ペットボトル入り炭酸飲料は、内圧の変化による体積の変動が生じやすく、開封してボトル内圧が下がるとラベルとボトル本体との間に隙間が生じてしまい、ラベルが動いて持ちにくいという問題がある。これに対し、従来、例えば特許文献１，２に開示された技術が提案されている。
【０００５】
特許文献１には、胴部にくびれ部を有する容器の少なくとも前記胴部に被嵌された熱収縮性を有する筒状のシュリンクラベルを加熱し収縮させて容器に装着させるシュリンクラベルの容器への装着方法であって、シュリンクラベルにおける前記くびれ部より下方の所定領域を他の領域に先行して収縮させることを特徴とするシュリンクラベルの容器への装着方法が開示されている。
【０００６】
特許文献２には、下記樹脂組成物Ａによるフイルムを中間層（Ａ）とし、樹脂組成物Ｂによるフイルムを両外面層（Ｂ）とすることを特徴とする熱収縮性積層フイルム、及び熱収縮性積層フイルムによるミシン目入りチューブ状フイルムがラベルとして軽量ペットボトルに熱収縮締着された包装軽量ペットボトルが開示されている。＜樹脂組成物Ａ＞メタロセン触媒による直鎖状低密度ポリエチレン樹脂４５〜６５質量％、低密度ポリエチレン樹脂５〜２５質量％、環状オレフィン系樹脂５〜１５質量％及び石油樹脂５〜２５質量％。＜樹脂組成物Ｂ＞環状オレフィン系樹脂７０〜９０質量％及び直鎖状低密度ポリエチレン樹脂１０〜３０質量％。
【特許文献１】特開２００６−１５７３号公報
【特許文献２】特開２００６−２７０５２号公報
【発明の開示】
【発明が解決しようとする課題】
【０００７】
しかしながら、前述した従来技術には、次のような問題があった。
特許文献１に開示されたように、ボトル全体を熱収縮性ラベルで覆う方法は、大容量ペットボトルでは、使用するラベルの量が多くなる、均一に収縮させるのが難しい、といった問題がある。また、ボトルの剛性向上及び直立性確保のために底部に複数の脚部を形成したボトルでは、脚部を熱収縮性ラベルで覆うと隙間ができてしまい、外観が悪くなり、また隙間に物が引っ掛かり易くなるなどの問題がある。
【０００８】
特許文献２に開示された包装軽量ペットボトルは、内圧の変化による体積の変動が生じやすく、開封してボトル内圧が下がるとラベルとボトル本体との間に隙間が生じてしまい、ラベルが動いて持ちにくくなる、という問題を解消できていない。
【０００９】
本発明は、前記事情に鑑みてなされ、ボトルの胴部にラベルを強固に固定することが可能なラベル付ボトル及びラベル固定方法の提供を目的とする。
【課題を解決するための手段】
【００１０】
前記目的を達成するため、本発明は、円筒状をなす胴部中央に縮径部が設けられ、該縮径部と底部との間に他の胴部よりも外径の大きい段差が設けられ、前記縮径部に合成樹脂製フィルムからなる筒状ラベルが固定されたラベル付ボトルにおいて、
前記ラベルが、前記縮径部下端から前記段差を覆う位置まで延長された熱収縮性ラベルからなることを特徴とするラベル付ボトルを提供する。
【００１１】
本発明のラベル付ボトルにおいて、前記ボトルが複数の脚部を有し、前記熱収縮性ラベルの下端が前記段差より下方で前記脚部よりも上方の位置にあることが好ましい。
【００１２】
本発明のラベル付ボトルにおいて、前記ボトルがポリエチレンテレフタレート製ボトルであり、前記ラベルがポリオレフィン系樹脂熱収縮性フィルムであることが好ましい。
【００１３】
また本発明は、円筒状をなす胴部中央に縮径部が設けられ、該縮径部と底部との間に他の胴部よりも外径の大きい段差が設けられ、且つ複数の脚部が設けられたボトルの前記縮径部に、合成樹脂製フィルムからなる筒状ラベルを固定するラベル固定方法において、
熱収縮時に前記縮径部下端から前記段差を覆う位置まで達する熱収縮性ラベルを用い、該熱収縮性ラベルをその下端が前記段差より下方で前記脚部よりも上方の位置に配置し、次いで該熱収縮性ラベルを下方部分から収縮させることを特徴とするラベル固定方法を提供する。
【発明の効果】
【００１４】
本発明のラベル付ボトルは、縮径部下端から前記段差を覆う位置まで延長された熱収縮性ラベルを胴部に固定したものなので、開封してボトル内圧が下がった場合でも、ラベルが弛み難くなり、ラベルが空回りしたり上下にズレることを防止できる。
【発明を実施するための最良の形態】
【００１５】
以下、図面を参照して本発明の実施形態を説明する。
図１は、本発明のラベル付ボトルの一実施形態を示す図である。本実施形態のラベル付ボトル１は、円筒状をなす胴部３中央に縮径部６が設けられ、該縮径部６と底部４との間に他の胴部よりも外径の大きい段差７が設けられたペットボトル２の縮径部６に、合成樹脂製フィルムからなる筒状のラベル９が固定された構成になっており、このラベル９は、縮径部６下端から段差７を覆う位置まで延長された延長部分１０を有する熱収縮性ラベルからなることを特徴としている。
【００１６】
本実施形態のラベル付ボトル１において、ボトルとしては、胴部３が円筒状のペットボトル２を用いている。このペットボトル２の上部に設けられた口部の外周には、図示していない雄ネジが設けられ、この雄ネジには内周面に雌ネジが設けられたキャップ８が装着されている。また、このペットボトル２の下部には、ボトルの剛性向上及び直立性確保のために複数の脚部５が設けられている。前記ラベル９の下端は、段差７より下方で脚部５よりも上方に位置している。
【００１７】
このペットボトル２は、円筒状をなす胴部３中央に縮径部６が設けられ、該縮径部６と底部４との間に他の胴部よりも外径の大きい段差７が設けられた構造であればよく、細部の形状や寸法は特に限定されない。また、段差７は、他の胴部よりも外径がわずかに大きければ、本発明による効果、すなわちラベルの周りやズレを防止する効果が得られるため、容器成形時に金型の接合部により生じる段差を利用することもできる。なお、縮径部６の上部に、この段差と同程度の外径を持つ膨出部や段差を設けることもできる。
【００１８】
本実施形態のラベル付ボトル１において、ラベル９は、円筒状の熱収縮性ラベルからなり、ペットボトル２の胴部３に固定した状態で、縮径部６下端から段差７を覆う位置まで延長された延長部分１０を有するような大きさになっている。このラベル９の材質は、ポリエチレン系樹脂などのポリオレフィン系樹脂が好ましく、例えば、特許文献２に開示されているように、ＬＬＤＰＥ樹脂、ＬＤＰＥ樹脂、環状オレフィン系樹脂、石油樹脂などを含む熱収縮性積層フイルムなども使用できる。
【００１９】
本実施形態のラベル付ボトル１において、ラベル９は、その上縁部と延長部分１０とが非印刷部１１，１１になっており、これらの非印刷部１１，１１の間の部分が印刷部１２になっている。この印刷部１２には、商品名や必要な表記等が印刷されている。また、このラベル９には、ミシン目などのラベル剥離用の破断部を形成することが好ましい。
【００２０】
本実施形態のラベル付ボトル１は、縮径部６下端から段差７を覆う位置まで延長された熱収縮性樹脂フィルムからなるラベル９を胴部３に固定したものなので、開封してボトル内圧が下がった場合でも、ラベル９が弛み難くなり、ラベル９が空回りしたり上下にズレることを防止できる。
【００２１】
本実施形態のラベル付ボトル１において、ペットボトル２の胴部３に前述したラベル９を固定する場合、本発明に係るラベル固定方法によって固定することが好ましい。
本発明に係るラベル固定方法は、円筒状をなす胴部３中央に縮径部６が設けられ、該縮径部６と底部４との間に他の胴部３よりも外径の大きい段差７が設けられ、且つ複数の脚部５が設けられたペットボトル２の縮径部６に、合成樹脂製フィルムからなる筒状のラベル９を固定するラベル固定方法において、熱収縮時に前記縮径部６下端から段差７を覆う位置まで達する熱収縮性ラベルを用い、該熱収縮性ラベルをその下端が段差７より下方で脚部５よりも上方の位置に配置し、次いで該熱収縮性ラベルを下方部分から収縮させることを特徴とする。
【００２２】
本発明に係るラベル固定方法によれば、縮径部６下端から段差７を覆う位置まで延長されたラベル９を、ペットボトル２の胴部３に確実に固定することができる。
【実施例】
【００２３】
高さ３０５ｍｍ、最大外径（段差外径）９２．５ｍｍ、底部下端から段差までの距離約５３ｍｍ、縮径部の長さ約１１８ｍｍを有するペットボトルに、炭酸飲料を充填した後、ラベル下方の非印刷部の長さを種々変更した熱収縮性ラベルを固定し、例１〜例９のサンプルを作製した。これらのサンプルを開封してボトル内圧を低下させた後、それぞれのラベルの固定状態を調べた。ラベル固定状態の評価基準は、次の通りとした。
◎：上下ズレ無し。
○：ほぼ上下ズレ無し。
△：若干上下ズレ有。
×：上下ズレ有。
【００２４】
（例１）
ラベル下方の非印刷部の長さを、通常の５ｍｍ（ラベル下端が接地面より６０ｍｍ）とした。ラベル下端は段差まで達していない。例１でのラベル固定状態は×であった。
【００２５】
（例２）
ラベル下方の非印刷部の長さを１０ｍｍ（ラベル下端が接地面より５５ｍｍ）とした。ラベル下端は段差まで達していない。例２でのラベル固定状態は×であった。
【００２６】
（例３）
ラベル下方の非印刷部の長さを１５ｍｍ（ラベル下端が接地面より５０ｍｍ）とした。ラベル下端は段差に達したが完全に覆っていない。例３でのラベル固定状態は×であった。
【００２７】
（例４）
ラベル下方の非印刷部の長さを２０ｍｍ（ラベル下端が接地面より４５ｍｍ）とした。
ラベル下端は段差に達したが完全に覆っていない。例４でのラベル固定状態は×であった。
【００２８】
（例５）
ラベル下方の非印刷部の長さを２５ｍｍ（ラベル下端が接地面より４０ｍｍ）とした。段差はラベルでほぼ覆われた。例５でのラベル固定状態は△であった。
【００２９】
（例６）
ラベル下方の非印刷部の長さを３０ｍｍ（ラベル下端が接地面より３５ｍｍ）とした。段差はラベルで覆われた。例６でのラベル固定状態は○であった。
【００３０】
（例７）
ラベル下方の非印刷部の長さを３５ｍｍ（ラベル下端が接地面より３０ｍｍ）とした。段差はラベルで覆われた。例７でのラベル固定状態は○であった。
【００３１】
（例８）
ラベル下方の非印刷部の長さを４０ｍｍ（ラベル下端が接地面より２５ｍｍ）とした。段差はラベルで覆われた。例８でのラベル固定状態は○であった。
【００３２】
（例９）
ラベル下方の非印刷部の長さを６５ｍｍ（ラベル下端＝接地面）とした。例９でのラベル固定状態は◎であった。
【００３３】
以上の通り、ラベル下方の非印刷部を通常の５ｍｍよりも２５ｍｍ延長することにより、開封後のラベル空回り及び上下ズレを抑制することができる。非印刷部を２５ｍｍ延長した場合、ボトル胴部下部の段差を１５ｍｍ程度またいだ位置関係となっている。従って、非印刷部（延長部分）は、段差よりも１５ｍｍ以上延長して設けることが好ましい。
【００３４】
ラベル材質は、ポリエステル系樹脂、ポリスチレン系樹脂、ポリオレフィン系樹脂が主に用いられるが、その中でもポリオレフィン系樹脂が最も有効であった。
【００３５】
前記の装着状態を再現しようとした場合、ボトル胴部下部段差の前後を同時に加熱収縮させることにより、収縮時にラベルが上下にずれることを防止できる。
【図面の簡単な説明】
【００３６】
【図１】本発明のラベル付ボトルの一実施形態を示す側面図である。
【符号の説明】
【００３７】
１…ラベル付ボトル、２…ペットボトル、３…胴部、４…底部、５…脚部、６…縮径部、７…段差、８…キャップ、９…ラベル、１０…延長部分、１１…非印刷部、１２…印刷部。
【図１】
2008174263.tif 000003